(57)【要約】【課題】汎用の大画面のテレビ受像機であってもその防水構造を簡略化して安価に設置し得ると共に、手元操作が可能となって操作性に優れた浴室用テレビ視聴システムを提供する。【解決手段】浴室の壁面に設置され各種ケーブルが引き出されると共にその前面開口部に前面カバーが防水性を有して一体的に配設された防水ボックスと、該防水ボックス内に収納配置されたテレビ受像機と、浴室内に配置されテレビ受像機を操作する防水性のリモコンと、を備え、リモコンを操作することにより、テレビ受像機に写し出される映像を防水ボックスの前面カバーを介して視聴し得る如く構成する。前記リモコンは学習機能を有し、前記放水ボックスはその前面カバーにテレビ受像機の音声再生用スピーカが配設される。【選択図】  図１
2005020403.tif 000002
【特許請求の範囲】
【請求項１】
浴室の壁面に設置され各種ケーブルが引き出されると共にその前面開口部に前面カバーが防水性を有して一体的に配設された防水ボックスと、該防水ボックス内に収納配置されたテレビ受像機と、浴室内に配置され前記テレビ受像機を操作する防水性のリモコンと、を備え、
前記リモコンを操作することにより、テレビ受像機に写し出される映像を前記防水ボックスの前面カバーを介して視聴し得る如く構成したことを特徴とする浴室用テレビ視聴システム。
【請求項２】
前記リモコンは、学習機能を有することを特徴とする請求項１に記載の浴室用テレビ視聴システム。
【請求項３】
前記防水ボックスは、その前面カバーにテレビ受像機の音声再生用スピーカが配設されていることを特徴とする請求項１または２に記載の浴室用テレビ視聴システム。
【請求項４】
前記前面カバーは、その裏面にアクチュエータが取り付けられてテレビ受像機の音声再生機能を有することを特徴とする請求項１または２に記載の浴室用テレビ視聴システム。
【請求項５】
前記前面カバーは、テレビ受像機が作動していない時に防水ボックス内が浴室内から視認されない状態に設定されることを特徴とする請求項１ないし４のいずれかに記載の浴室用テレビ視聴システム。
【発明の詳細な説明】
【０００１】
【発明の属する技術分野】
本発明は、例えばユニットバスルーム等の浴室内で大画面テレビでも快適に視聴できる浴室用テレビ視聴システムに関する。
【０００２】
【従来の技術】
従来、入浴者が入浴中にテレビ放送を楽しむために、浴室の所定の壁面に浴室用テレビを設置した浴室が知られており、この浴室用テレビの設置構造としては、例えば特許文献１の浴室用テレビユニットに開示されている。この浴室用テレビユニットは、ブラウン管等を有するテレビ受像機を、スイッチ等の操作ボタンや透光板等を有する前面ケースに固定し、これをそのまま浴室の壁面に取り付けた枠形状のスペーサー体に取付け固定する。これにより、浴室壁面に設けた開口に前記テレビ受像機の後部側が嵌合され、テレビ受像機の浴室の壁面より突出した前部側が前面ケースで覆われるようになっている。
【０００３】
【特許文献１】
特開平１０−６８２３６号公報
【０００４】
【発明が解決しようとする課題】
しかしながら、このような浴室用テレビユニットにおいては、テレビ受像機の後部側がスペーサー体を介して壁面の開口に取り付けられ、テレビ受像機の前部側が前面ケースで覆われる構造であるため、テレビ受像機と壁面に取り付けられるスペーサー体との間あるいはテレビ受像機と前面ケースとの間にシール構造が必要になると共に、前面ケースの前面に操作ボタンが設けられているため、操作ボタン自体にも防水性が必要になる。
【０００５】
その結果、前面ケースの操作ボタンの位置にスイッチのある専用のテレビ受像機が必要になる上にテレビ受像機を設置するための防水構造が複雑化してコスト高になると共に、テレビ受像機が大型化すればするほど防水構造が複雑化することから、浴室内に設置されるテレビ受像機の大きさ（画面の大きさ）に制約を受け易く、浴室内で大きな画面のテレビを視聴することが困難であるという問題点を有している。
【０００６】
また、テレビ受像機を視聴するための各種操作ボタンが、テレビ受像機に一体的に取り付けられる前面ケースに設けられているため、テレビ受像機を視聴する場合に、前面ケースの操作ボタンを一々操作しなければならず、例えばバスタブに入浴中の入浴者が体を起こし手を伸ばして操作する必要があり、操作性が極めて劣るという問題点も有している。
【０００７】
本発明は、このような事情に鑑みてなされたもので、その目的は、汎用の大画面のテレビ受像機であってもその防水構造を簡略化して安価に設置し得ると共に、手元操作が可能となって操作性に優れた浴室用テレビ視聴システムを提供することにある。
【０００８】
【課題を解決するための手段】
かかる目的を達成すべく、本発明のうち請求項１に記載の発明は、浴室の壁面に設置され各種ケーブルが引き出されると共にその前面開口部に前面カバーが防水性を有して一体的に配設された防水ボックスと、該防水ボックス内に収納配置されたテレビ受像機と、浴室内に配置され前記テレビ受像機を操作する防水性のリモコンと、を備え、前記リモコンを操作することにより、テレビ受像機に写し出される映像を前記防水ボックスの前面カバーを介して視聴し得る如く構成したことを特徴とする。
【０００９】
このように構成することにより、例えば汎用の液晶テレビやプラズマテレビ等の薄型のテレビ受像機は、浴室の壁面に配設された防水ボックス内に収納配置され、このテレビ受像機に写し出される映像が、浴室内の入浴者によって視聴される。この時、テレビ受像機の各種ケーブルが防水ボックスから引き出されると共に、前面カバーが防水性を有して一体的に配設されていることから、防水ボックスを浴室の壁面に例えば防水構造で取り付けるだけで浴室にテレビ受像機を設置できて、防水構造の簡略化が図れ、汎用の大画面テレビ等でも容易かつ安価に設置できる。また、テレビ受像機が防水性のリモコンで操作されることから、入浴者がバスタブに入浴中のままでも操作できて、テレビ受像機の操作性の向上が図れる。
【００１０】
そして、前記リモコンは、請求項２に記載の発明のように、学習機能を有することが好ましい。このように構成することにより、リモコンに汎用のテレビ受像機に付属するリモコンの信号を学習させ、浴室内からのテレビ操作を可能とすることができる。
【００１１】
また、前記防水ボックスは、請求項３に記載の発明のように、その前面カバーにテレビ受像機の音声再生用スピーカが配設されていることが好ましい。このように構成することにより、前面カバーの例えば下部両端部にスピーカを配置することで、テレビ放送の音声を浴室内に良好に再生できる。
【００１２】
また、前記前面カバーは、請求項４に記載の発明のように、その裏面にアクチュエータが取り付けられてテレビ受像機の音声再生機能を有することが好ましい。このように構成することにより、アクチュエータの振動で比較的広い面積の前面カバーが振動してテレビ放送の音声が浴室内に再生されることから、例えば大画面テレビの音声を迫力ある音声として再生できる。
【００１３】
また、前記前面カバーは、請求項５に記載の発明のように、テレビ受像機が作動していない時に防水ボックス内が浴室内から視認されない状態に設定されることが好ましい。このように構成することにより、防水ボックス内のテレビ受像機を入浴者が視聴しない非作動時に、前面カバーで防水ボックス内が視認されない状態に設定されることから、前面カバーに例えばミラーや装飾面等の他の機能を持たせることができて、防水ボックスの付加価値の向上が図れる。
【００１４】
【発明の実施の形態】
以下、本発明の実施の形態を図面に基づいて詳細に説明する。
図１〜図３は、本発明に係わる浴室用テレビ視聴システムの一実施形態を示し、図１が該システムを採用した浴室の内部斜視図、図２がその概略構成図、図３がテレビ受像機の設置状態の断面図である。
【００１５】
図１において、ユニットバスルームとしての浴室１は、防水パン２と、４枚の壁パネル３ａ〜３ｄ（壁パネル３ｄは図２参照）及びドーム型の天井パネル４によって略箱状に形成され、防水パン２の壁パネル３ａ側には浴槽５が設置されると共に、この浴槽５の側方の防水パン２上には洗い場６が設けられている。また、洗い場６の壁パネル３ｂ側にはカウンター７が設けられ、このカウンター７上方の壁パネル３ｂには、水栓操作部９、シャワー１０、ミラー１１、ダウンライト１２、収納棚１３等が組み込まれたミラーパネル８が配置されている。
【００１６】
そして、浴室１には、テレビ視聴システムとしてのテレビ視聴装置１５が配設されている。このテレビ視聴装置１５は、図１〜図３に示すように、浴室１のカウンター７側となる壁パネル３ｂに設置されたテレビ受像機１６と、壁パネル３ａに着脱可能に取り付けられテレビ受像機１６を操作し得るリモコン１７等を有している。
【００１７】
前記テレビ受像機１６は、例えば汎用の最大５０インチのプラズマテレビや液晶テレビ等の大型の薄型テレビが使用され、図３に示すように、表示器１６ａと、この表示器１６ａにテレビ放送の映像を表示させる表示制御部１６ｂ、及びリモコン１７からの赤外線を受光して表示制御部１６ｂに所定の信号を出力する赤外線受光部１６ｃ等を有し、防水ボックス１８を介して壁パネル３ｂに設置されている。すなわち、防水ボックス１８は、壁パネル３ｂの開口１９にシール性（防水性）を有して嵌め込み固定された皿状のボックス本体１８ａと、このボックス本体１８ａの浴室１側の前面開口部１８ｃを閉塞する前面カバー１８ｂ等で構成されている。
【００１８】
ボックス本体１８ａは、樹脂もしくは金属等の非透光性材料により形成され、その上面壁の所定位置にはケーブル引出口２０が設けられ、また、前記前面カバー１８ｂは、例えば透明ガラス（もしくは透明樹脂板）によって形成され、その外周部がボックス本体１８ａの外周フランジ１８ｄ前面にシール性（防水性）を有して固定されている。
【００１９】
この時、ボックス本体１８ａの外周フランジ１８ｄ前面にシリコンゴム等のシール材２１が嵌入された正面視長方形状の１条もしくは複数条の溝２２を設けることで、シール材２１により前面カバー１８ｂとボックス本体１８ａとが所定の防水性を確保した状態で一体化されている。なお、この前面カバー１８ｂとボックス本体１８ａの防水構造はこの例に限定されず、例えば接着性を有するシールパッキン等を使用して固定機能と防水機能を同時に確保させる等、適宜の防水構造を採用できる。
【００２０】
また、この前面カバー１８ｂの下部両側の角部位置には、防水性のスピーカ２３がそれぞれ取り付けられている。すなわち、前面カバー１８ｂの角部位置に所定内径の取付穴２４が形成され、この取付穴２４にそのマグネット部等が位置する状態で、スピーカ２３が前面カバー１８ｂに取り付けられている。そして、このスピーカ２３に接続されるＡＶケーブル２５は、ボックス本体１８ａの外周フランジ１８ｄ前面に形成された切欠き２９内に収納されてボックス本体１８ａ内に導かれ、例えばテレビ受像機１６のイヤホーン端子（図示せず）に接続されている。
【００２１】
このように構成されたボックス本体１８ａの底壁内面上にテレビ受像機１６の脚部が固定されることにより、テレビ受像機１６が防水ボックス１８内に設置され、このテレビ受像機１６のアンテナ端子に接続されたアンテナケーブル２６、テレビ受像機１６の音声出力端子に接続されたＡＶケーブル２７、及びテレビ受像機１６の電源ケーブル２８は、ボックス本体１８ａの前記ケーブル引出口２０からボックス本体１８ａ外に引き出されている。
【００２２】
このアンテナケーブル２６はアンテナ３１（図２参照）に接続され、ＡＶケーブル２７と電源ケーブル２８は例えば浴室１の天井パネル４の上面に配置されたオーディオ用のアンプ３０（図２参照）のＡＶ入力端子や電源端子（もしくは電源線）に接続されている。なお、前記アンプ３０のＡＶ出力端子には、浴室１の天井パネル４等に取り付けられたスピーカ３２が接続されており、このスピーカ３２で前記アンプ３０に接続された図示しない音響装置の音声が再生されると共に、リモコン１７の所定の操作によりテレビ受像機１６のテレビ音声が前記スピーカ２３と同時に再生されるようになっている。
【００２３】
そして、テレビ受像機１６に接続されるこれらの各種ケーブル２６〜２８は、結束された状態でボックス本体１８ａのケーブル引出口２０から引き出され、この時、ケーブル引出口２０にシリコン樹脂等のシール材３３が例えば充填されることにより、ケーブル引出口２０がボックス本体１８ａの内外において所定の防水性が確保されるようになっている。
【００２４】
なお、各種ケーブル２６〜２８のボックス本体１８ａ外への引き出しは、この例に限らず、例えば図３の二点鎖線で示すように、ケーブル引出口２０に中継端子３４を取り付け、この中継端子３４の入力側にテレビ受像機１６に接続された各種ケーブル２６〜２８の先端を接続し、中継端子３４の出力側にアンテナ３２やアンプ３０等に接続された各種ケーブルを接続するように構成しても良い。この場合、中継端子３４としてコネクター方式を採用することで、ケーブル引出口２０に十分な防水性を確保しつつ、各種ケーブル２６〜２８の接続（すなわちテレビ受像機１６の設置）が極めて容易に行えることになる。また、壁パネル３ｂの裏側が屋内となっている限り、ボックス本体１８ａの裏側を開放する構成としても良く、ボックス本体１８ａを枠状に構成して前面開口部１８ｃのみを前面カバー１８ｂで閉塞し、裏面側の開口部から各種ケーブル２６〜２８を引き出す構成とすることも可能である。
【００２５】
前記リモコン１７は、図１及び図２に示すように、防水性のリモコンケース１７ａ内に配設された図示しないマイコン、電源回路、赤外線発光部等を有して、壁パネル３ａの浴槽５の上縁フランジより上方位置で浴槽５の背側寄りに着脱可能に取り付けられている。また、リモコン１７は学習機能を有し、例えば居間等に配置される汎用のテレビ受像機１６に付属するリモコンの各操作ボタンやその操作手順等の信号を記憶して、浴室１内のテレビ受像機１６を操作することが可能になっている。
【００２６】
そして、このリモコン１７は、操作パネル１７ｂに設けられた各種操作ボタンを操作することにより、赤外線発光部から赤外線が発光照射され、これをテレビ受像機１６の前記赤外線受光部１６ｃが受光することにより、テレビ受像機１６が所定の動作をする、すなわちテレビ受像機１６がリモコン１７で遠隔操作されるようになっている。なお、リモコン１７は無線式に限らず、有線でテレビ受像機１６に接続しても良い。
【００２７】
このテレビ視聴装置１５は、浴室１に次のようにして設置される。すなわち、先ず、浴室１の壁パネル３ｂのミラーパネル８側方の浴槽５側で、浴槽５の上縁フランジより所定高さ位置に防水ボックス１８の大きさと略同一の開口１９を形成する。また、防水ボックス１８のボックス本体１８ａ内にテレビ受像機１６を収納固定し、各種ケーブル２６〜２８をボックス本体１８ａのケーブル引出口２０から防水性を確保した状態で引き出すと共に、ボックス本体１８ａの前面開口部１８ｃをスピーカ２３が予め取り付けられた前面カバー１８ｂで防水性を確保した状態で閉塞する。
【００２８】
これにより、防水ボックス１８内にテレビ受像機１６が防水性を有して内蔵された状態となり、この防水ボックス１８のボックス本体１８ａを壁パネル３ｂの開口１９に前面側（浴室１内側）から、図示しないシール材等を介して嵌め込み固定する。そして、壁パネル３ｂに固定された防水ボックス１８から引き出されている各種ケーブル２６〜２８をアンテナ３１やアンプ３０等に接続することにより、テレビ受像機１６の浴室１への設置が完了する。つまり、防水ボックス１８内に薄型のテレビ受像機１６を収納固定して、その前面開口部１８ｃを前面カバー１８ｂで塞ぐことにより防水ボックス１８に所定の防水性を確保し、これを壁パネル３ｂの開口１９に嵌め込み固定することでテレビ受像機１６を浴室１に設置できることになる。
【００２９】
そして、このテレビ視聴装置１５は、入浴者Ｍが浴槽５内に入浴中に、直ぐ側にあるリモコン１７の所定の操作ボタンを操作すると、テレビ受像機１６がオンして、その表示器１６ａにテレビ放送の映像が写し出されると共に、前面カバー１８ｂに設けられた一対のスピーカ２３からテレビ音声が例えばステレオ再生される。これにより、入浴者Ｍが浴槽５内に入浴しつつテレビ放送を視聴することができ、この時、チャンネルの変更や音量変更等の操作は、浴槽５に入浴中にリモコン１７の遠隔操作で行うことができて、その操作性の向上が図れることになる。
【００３０】
このように、上記実施形態のテレビ視聴装置１５にあっては、テレビ受像機１６が防水ボックス１８を介して壁パネル３ｂに設置されると共に、テレビ受像機１６のアンテナケーブル２６やＡＶケーブル２７等の各種ケーブル２６〜２８が防水ボックス１８のケーブル引出口２０からシール材３３を介し防水性を有して引き出され、かつ前面カバー１８ｂがシール材２１を介し防水性を有してボックス本体１８ａに一体的に固定されているため、防水ボックス１８自体に防水性を確保して内部のテレビ受像機１６の防水性を十分に高めることができる。
【００３１】
また、防水ボックス１８が浴室１の壁パネル３ｂの開口１９にシール材等を介して嵌め込み固定されるため、テレビ受像機１６を防水ボックス１８を介して壁パネル３ｂに簡易な構造で設置することができ、これらのことから、テレビ受像機１６の設置時の防水構造を簡略化してテレビ受像機１６を浴室１に安価に設置することができる。特に、テレビ受像機１６が予め防水ボックス１８内に収納固定された状態で壁パネル３ｂに取り付けられることから、テレビ受像機１６が大型であっても壁パネル３ｂに簡単に設置できて、従来では得られなかった浴室１内で大画面テレビの視聴が可能となり、入浴中の入浴者Ｍに例えば十分なリラックス感を得ることができる。
【００３２】
また、テレビ受像機１６が防水性のリモコン１７で遠隔操作できると共に、このリモコン１７が浴槽５近傍の壁パネル３ａに着脱可能に配設されているため、入浴者Ｍが浴槽５に入浴したままでもリモコン１７によりテレビ受像機１６を操作できて、テレビ受像機１６の操作性を大幅に向上させることができると共に、着脱可能なリモコン１７により、入浴者Ｍが洗い場６にいる場合でもテレビ受像機１６を簡単に操作することができる。
【００３３】
さらに、テレビ受像機１６のテレビ音声が、オーディオ用のアンプ３０で増幅されて一対のスピーカ３２から浴室１内に再生できると共に、防水ボックス１８の前面カバー１８ｂに取り付けられた一対の防水性のスピーカ２３でも再生されるため、例えば４個のスピーカ３２、２３でテレビ音声を再生できて、従来の浴室テレビでは得られないめりはりがありかつ重量感のある音質的に優れたテレビ音声を浴室１内に再生することが可能になり、大画面テレビであっても、画面に応じた迫力あるテレビ音声を容易に得ることができる。
【００３４】
また、スピーカ２３が前面カバー１８ｂの取付穴２４を利用して取り付けられているため、スピーカ２３の前面カバー１８ｂからの突出量を少なくできて、防水ボックス１８取付部分の意匠的価値の低下を防止して、テレビ受像機１６を壁パネル３ｂにすっきりと設置することができる。またさらに、テレビ受像機１６として薄型テレビを使用すれば、防水ボックス１８の奥行き寸法を小さくできて、テレビ受像機１６の壁パネル３ｂへの設置スペースが小さくなり、その設置を簡単に行うこと等が可能になる。
【００３５】
図４は、本発明に係わるテレビ視聴装置の他の実施形態を示す図３と同様の断面図である。以下、上記実施形態と同一部位には、同一符号を付して説明する。この実施形態の特徴は、前面カバー１８ｂをマジックミラーで形成すると共に、前面カバー１８ｂの裏面にテレビ音声再生用のアクチュエータ３５を取り付けた点にある。すなわち、前面カバー１８ｂの透明ガラス板３６の裏面に、防水ボックス１８のボックス本体１８ａ内が所定の明るさになった場合に、防水ボックス１８内部が前方（浴室１内）から入浴者Ｍに視認され得るマジックミラーフィルム３７が密着固定されている。
【００３６】
これにより、テレビ受像機１６の電源がオンして表示器１６ａに映像が映し出されるとボックス本体１８ａの内部が明るくなり、テレビ受像機１６の表示器１６ａの映像が浴室１内部から入浴者Ｍに視認、すなわちテレビ放送が視聴される。一方、テレビ受像機１６の電源がオフした状態では、ボックス本体１８ａの内部が暗く、マジックミラーフィルム３７が一般的なミラーとして機能し、前面カバー１８ｂに浴室１の内部の状態が写し出される。
【００３７】
また、前面カバー１８ｂの例えば幅方向の中央位置下部の裏面に、アクチュエータ３５が密着固定されている。この時、アクチュエータ３５は、ボックス本体１８ａの外周フランジ１８ｄの前面に形成された切欠き３８を利用して取り付けられ、そのＡＶケーブル３９がボックス本体１８ａ内に導かれている。これにより、アクチュエータ３５が振動することで前面カバー１８ｂが振動し、この前面カバー１８ｂの振動でテレビ音声が浴室１内に再生されることになる。
【００３８】
この実施形態においても、テレビ受像機１６を防水ボックス１８を介して壁パネル３ｂに設置できて、上記実施形態と同様の作用効果が得られる他に、次のような作用効果が得られる。すなわち、前面カバー１８ｂが透明ガラス機能とミラー機能の両機能を有するため、テレビ放送を視聴する場合は、前面カバー１８ｂを透明ガラスとして使用し、テレビ放送を視聴しない場合は、前面カバー１８ｂを一般の浴室ミラーとして使用できる。これにより、前面カバー１８ｂの付加価値を高めることができると共に、テレビ放送を視聴しない場合に、壁パネル３ｂのテレビ受像機１６の設置部に浴室ミラーを設置した状態が得られ、壁パネル３ｂの意匠的価値を高めることができる。
【００３９】
また、前面カバー１８ｂの裏面にアクチュエータ３５が取り付けられて、該前面カバー１８ｂがテレビ受像機１６の音声再生機能を有するため、アクチュエータ３５の振動により前面カバー１８ｂを振動させることで、テレビ音声を浴室１内に再生することができる。この時、前面カバー１８ｂの全体を振動板として使用できることから、迫力あるテレビ音声を再生できて、例えば大画面テレビの音声として十分な音声を得ることが可能になる。
【００４０】
この実施形態においては、テレビ受像機１６の表示器１６ａに映像が写し出されることによるボックス本体１８ａ内の明るさで、前面カバー１８ｂに透明ガラス機能を持たせたが、例えば図４の二点鎖線で示すように、ボックス本体１８ａ内に照明装置４０を配設し、テレビ受像機１６のオンと同時にこの照明装置４０を点灯させて、ボックス本体１８ａ内を所定の明るさ（前面カバー１８ｂが透明ガラスとして機能する明るさ）に設定しても良い。
【００４１】
また、マジックミラーフィルム３７と他の図示しない意匠フィルムを例えば積層配置することで、ボックス本体１８ａ内部が暗い場合に前面カバー１８ｂに所定の意匠が付与される（意匠板として機能させる）ようにして、前面カバー１８ｂによって浴室１内を装飾する構成としても良い。さらに、図４の二点鎖線で示すように、ボックス本体１８ａ内にテレビ受像機１６の支持軸に連結されたモータ４１を配置し、このモータ４１の作動で支持軸を回転させることにより、テレビ受像機１６を図の矢印イの如く回転させるようにしても良い。このような回転機構を採用すれば、リモコン１７の操作でモータ４１を作動させると、テレビ受像機１６（少なくとも表示器１６ａ）が所定方向に回転して、入浴者Ｍに正対させることができ、テレビ放送を一層見易くすることができる。
【００４２】
なお、本発明は、上記した各実施形態のそれぞれに限定されるものではなく、例えば図３の構成にマジックミラーフィルム３７を取り付ける等、各実施形態を適宜に組み合わせることもできる。また、上記各実施形態において、リモコン１７として防水キーボード付きのリモコンを使用すると共にテレビ受像機１６をパソコン画面として使用することにより、テレビ視聴装置１５にパソコンの機能を持たせてその付加価値を一層高め、浴室１内で例えばインターネットに接続できる構成としても良い。
【００４３】
さらに、上記各実施形態においてはテレビ受像機１６を壁パネル３ｂに取り付けたが、例えば壁パネル３ａに取り付ける等、浴室１の形態に応じて適宜の壁パネル３ａ〜３ｄの適宜位置に取り付けることができるし、浴室１の形態、防水ボックス１８のボックス本体１８ａや前面カバー１８ｂの形状等も一例であって、本発明に係わる各発明の要旨を逸脱しない範囲において適宜に変更することができる。
【００４４】
【発明の効果】
以上詳述したように、請求項１に記載の発明によれば、各種ケーブルが引き出されると共に前面カバーが防水性を有して一体的に配設された防水ボックス内にテレビ受像機が収納配置され、この防水ボックスが浴室の壁面に取り付けられることで浴室にテレビ受像機が設置されるため、テレビ受像機設置のための防水構造を簡略化して大画面テレビ等でも容易に設置することができると共に、テレビ受像機が防水性のリモコンで操作されるため、入浴者Ｍがバスタブに入浴中のままでも操作できて、テレビ受像機の操作性の向上を図ることができる。
【００４５】
また、請求項２に記載の発明によれば、請求項１に記載の発明の効果に加え、リモコンが学習機能を有するため、汎用のテレビ受像機に付属するリモコンの信号を学習させ、浴室内からのテレビ操作を可能とすることができる。
【００４６】
また、請求項３に記載の発明によれば、請求項１または２に記載の発明の効果に加え、前面カバーにテレビ受像機の音声再生用スピーカが配設されているため、テレビ音声を浴室内で良好に再生することができる。
【００４７】
また、請求項４に記載の発明によれば、請求項１または２に記載の発明の効果に加え、前面カバーの裏面にアクチュエータが取り付けられるため、アクチュエータの振動で比較的広い面積の前面カバーを振動させて、テレビ放送の音声を浴室内に再生させることができて、例えば大画面テレビの音声として迫力ある音声を再生することができる。
【００４８】
また、請求項５に記載の発明によれば、請求項１ないし４に記載の発明の効果加え、防水ボックス内のテレビ受像機を入浴者Ｍが視聴しない非作動時に、前面カバーで防水ボックス内が視認されない状態に設定できるため、前面カバーに例えばミラーや装飾板等の他の機能を持たせることができて、防水ボックスの付加価値の向上が図れると共に、テレビ受像機の設置部分の浴室壁面の意匠的価値が高められる等の効果を奏する。
【図面の簡単な説明】
【図１】本発明に係わる浴室用テレビ視聴システムを採用した浴室の内部斜視図
【図２】同その概略構成図
【図３】同テレビ受像機の設置状態の断面図
【図４】同テレビ受像機の他の設置状態の図３と同様の断面図
【符号の説明】
１・・・・・・・・・・・浴室
３ａ〜３ｄ・・・・・・・壁パネル
４・・・・・・・・・・・天井パネル
５・・・・・・・・・・・浴槽
１５・・・・・・・・・・テレビ視聴装置
１６・・・・・・・・・・テレビ受像機
１６ａ・・・・・・・・・表示器
１６ｂ・・・・・・・・・表示制御部
１６ｃ・・・・・・・・・赤外線受光部
１７・・・・・・・・・・リモコン
１７ａ・・・・・・・・・リモコンケース
１７ｂ・・・・・・・・・操作パネル
１８・・・・・・・・・・防水ボックス
１８ａ・・・・・・・・・ボックス本体
１８ｂ・・・・・・・・・前面カバー
１８ｃ・・・・・・・・・前面開口部
１９・・・・・・・・・・開口
２０・・・・・・・・・・ケーブル引出口
２１・・・・・・・・・・シール材
２３・・・・・・・・・・スピーカ
２５、２７・・・・・・・ＡＶケーブル
２６・・・・・・・・・・アンテナケーブル
２８・・・・・・・・・・電源ケーブル
３３・・・・・・・・・・シール材
３４・・・・・・・・・・中継端子
３５・・・・・・・・・・アクチュエータ
３７・・・・・・・・・・マジックミラーフィルム
【図１】
2005020403.tif 000003
【図２】
2005020403.tif 000004
【図３】
2005020403.tif 000005
【図４】
2005020403.tif 000006